(57)【要約】【課題】頻繁にドア錠が施錠と解除とを繰り返すことを防止できる建物用ドア錠の施解錠装置を提供すること。【解決手段】施解錠装置１３は、通信距離が異なる携帯機１１とカードキー１２に対して、携帯機１１のＩＤコードの送信を要求する旨のリクエスト信号とカードキー１２のＩＤコードの送信を要求する旨の起動信号とを交互に送信するとともに、携帯機１１から送信されるスマート用ＩＤ信号及びカードキー１２から送信されるタグ用ＩＤ信号を通信部２８を介して受信し、スマート用ＩＤ信号を受信した場合はスマート照合を行い、タグ用ＩＤコードを受信した場合にはタグ照合を行い、スマート照合またはタグ照合が成立した場合に建物のドア錠を解錠するドア側マイコン２９を備える。【選択図】      図４
2005068822.tif 000002
【特許請求の範囲】
【請求項１】
通信距離が異なるとともに、固有の被照合コードを有し、該被照合コードを要求信号に応答して送信する複数の携帯機と、
前記各携帯機に対して異なる送信強度にて前記要求信号を送信するとともに、前記各携帯機から送信される被照合コードを受信する通信部と、
前記通信部が受信した前記被照合コードと、該被照合コードに対応した自らが有する照合コードとにより照合を行い、該照合が成立した場合に建物のドア錠を解錠する制御手段とを備えたことを特徴とする建物用ドア錠の施解錠装置。
【請求項２】
前記制御手段は、それぞれの前記携帯機に対応した要求信号を所定時間毎に順番に出力することを特徴とする請求項１に記載の建物用ドア錠の施解錠装置。
【請求項３】
通信機能を有するとともに、固有の被照合コードを有し、該被照合コードを要求信号に応答して送信する携帯機と、
操作信号を出力する操作手段と、
前記操作信号に基づいて前記要求信号を送信する領域を可変して前記携帯機に前記要求信号を送信するとともに、前記携帯機から送信される被照合コードを受信する通信部と、
前記通信部により受信された前記被照合コードと自ら有する照合コードとにより照合を行い、該照合が成立した場合に建物のドア錠を解錠する制御手段とを備えたことを特徴とする建物用ドア錠の施解錠装置。
【請求項４】
前記通信部は、前記操作信号に基づいて前記要求信号を送信する領域を第１領域と該第１領域よりも狭域である第２領域とに切り替えることを特徴とする請求項３に記載の建物用ドア錠の施解錠装置。
【請求項５】
通信機能を有するとともに、固有の被照合コードを有し、該被照合コードを要求信号に応答して送信する携帯機と、
前記携帯機に前記要求信号を送信するとともに、前記携帯機から送信される被照合コードを受信する通信部と、
前記通信部により受信された前記被照合コードと自ら有する照合コードとによる照合が成立した場合にドア錠を施錠する制御手段と、
建物の屋内に設けられた施解錠操作手段とを備え、
前記制御手段は、ドア錠が解錠状態において前記施解錠操作手段が操作された場合にはドア錠を施錠させ、ドア錠が施錠状態において前記施解錠操作手段が操作された場合にはドア錠を解錠させることを特徴とする建物用ドア錠の施解錠装置。
【発明の詳細な説明】
【技術分野】
【０００１】
本発明は建物用ドア錠の施解錠装置に係り、詳しくはドア錠を電子制御によって施解錠する装置に関するものである。
【背景技術】
【０００２】
従来、利便性の向上を目的に、ＩＤコードを用いた電子制御による建物用ドア錠の遠隔操作装置が提案されている（例えば特許文献１参照）。この遠隔操作装置によれば、ユーザが所持する携帯機から送信されるＩＤコードとドアに配設された通信制御装置が有するＩＤコードとが一致した場合にドア錠が解錠される。このため、携帯機を所持しドアに近づくだけでドア錠を解錠することができ、ドア錠を解錠するための操作を行う必要がなく利便性が向上する。また、近年、更に利便性を追求したスマートドアシステムが提案されている。スマートドアシステムは、上記の施解錠とともにドアを開閉するシステムである。
【特許文献１】特開２００１−２４１２２８号公報
【発明の開示】
【発明が解決しようとする課題】
【０００３】
しかしながら、従来の遠隔操作装置及びスマートドアシステムでは、携帯機を所持してドアに近づくだけでドア錠が解錠されたりドアが開かれたりすることから、例えばドア周辺を通過するときにもドア錠が解錠されたりドアが開かれたりして煩わしい。また、例えば、携帯機と通信制御装置との相互通信が可能な領域の境界付近で掃除等の作業をする場合、ドア錠は施錠と解錠とを繰り返して煩わしい。
【０００４】
本発明は、こうした実情に鑑みてなされたものであって、その目的は、頻繁にドア錠が施錠と解除とを繰り返すことを防止できる建物用ドア錠の施解錠装置を提供することにある。
【課題を解決するための手段】
【０００５】
上記課題を解決するため、請求項１に記載の発明では、通信距離が異なるとともに、固有の被照合コードを有し、該被照合コードを要求信号に応答して送信する複数の携帯機と、前記各携帯機に対して異なる送信強度にて前記要求信号を送信するとともに、前記各携帯機から送信される被照合コードを受信する通信部と、前記通信部が受信した前記被照合コードと、該被照合コードに対応した自らが有する照合コードとにより照合を行い、該照合が成立した場合に建物のドア錠を解錠する制御手段とを備えたことを要旨とする。
【０００６】
請求項２に記載の発明では、前記制御手段は、それぞれの前記携帯機に対応した要求信号を所定時間毎に順番に出力することを要旨とする。
請求項３に記載の発明では、通信機能を有するとともに、固有の被照合コードを有し、該被照合コードを要求信号に応答して送信する携帯機と、操作信号を出力する操作手段と、前記操作信号に基づいて前記要求信号を送信する領域を可変して前記携帯機に前記要求信号を送信するとともに、前記携帯機から送信される被照合コードを受信する通信部と、前記通信部により受信された前記被照合コードと自ら有する照合コードとにより照合を行い、該照合が成立した場合に建物のドア錠を解錠する制御手段とを備えたことを要旨とする。
【０００７】
請求項４に記載の発明では、前記通信部は、前記操作信号に基づいて前記要求信号を送信する領域を第１領域と該第１領域よりも狭域である第２領域とに切り替えることを要旨とする。
【０００８】
請求項５に記載の発明では、通信機能を有するとともに、固有の被照合コードを有し、該被照合コードを要求信号に応答して送信する携帯機と、前記携帯機に前記要求信号を送信するとともに、前記携帯機から送信される被照合コードを受信する通信部と、前記通信部により受信された前記被照合コードと自ら有する照合コードとによる照合が成立した場合にドア錠を施錠する制御手段と、建物の屋内に設けられた施解錠操作手段とを備え、前記制御手段は、ドア錠が解錠状態において前記施解錠操作手段が操作された場合にはドア錠を施錠させ、ドア錠が施錠状態において前記施解錠操作手段が操作された場合にはドア錠を解錠させることを要旨とする。
【０００９】
以下、本発明の作用について説明する。
請求項１に記載の発明によれば、制御手段は、通信距離が異なる携帯機に対して要求信号を送信する。そして、制御手段は、携帯機から送信された被照合コードと照合コードとによる照合を行い、この照合が成立した場合にドア錠を解錠する。このため、ドア錠が解錠されるドアからの距離は携帯機毎に相違する。従って、ドア近傍においてドア錠が頻繁に施錠と解錠を繰り返す場合等には、通信距離がより短い携帯機を所持することで、頻繁にドア錠が施錠と解除とを繰り返すことを防止できる。
【００１０】
請求項２に記載の発明によれば、制御手段は、それぞれの携帯機に対応した要求信号を所定時間毎に順番に出力する。このため、ユーザは、どの携帯機を所持した場合でも同じフィーリングでドア錠を解錠することができる。つまり、ある携帯機を所持した場合にはドア錠が早く解錠し、他の携帯機を所持した場合にはドア錠が遅く解錠するといったことがない。従って、ドア錠の解錠に対してユーザが違和感を感じてしまうといった不都合を防止することができる。
【００１１】
請求項３に記載の発明によれば、通信部は、操作手段からの操作信号に基づいて要求信号を送信する領域を可変する。このため、例えば、操作手段を操作して要求信号が送信される領域を狭域とすることで、ドア錠が解錠されるドアからの距離を短くできる。従って、操作手段を操作することにより、頻繁にドア錠が施錠と解除とを繰り返すことを防止できる。
【００１２】
請求項４に記載の発明によれば、通信部は、操作信号に基づいて、要求信号を送信する領域を第１領域と第２領域との２つの領域に切り替える。このように、操作手段によって切り替えられる領域が２つしかないため、施解錠装置の利用態様に合わせて要求信号が送信される領域を調整する必要がない。従って、簡単な操作により要求信号が送信される領域を切り替えることができ、施解錠装置の利便性を向上させることができる。
【００１３】
請求項５に記載の発明によれば、ドア近傍まで接近して施解錠操作手段を操作しないとドア錠は解錠されない。従って、頻繁にドア錠が施錠と解除とを繰り返すことを防止できる。
【発明の効果】
【００１４】
本発明によれば、頻繁にドア錠が施錠と解除とを繰り返すことを防止できる建物用ドア錠の施解錠装置を提供することができる。
【発明を実施するための最良の形態】
【００１５】
（第１実施形態）
以下、本発明を住宅のドア錠における施解錠制御システムに具体化した第１実施形態を図１〜図５に従って説明する。
【００１６】
図１及び図２に示すように、施解錠制御システム１は、住宅２のユーザ（家人）に所持される携帯機１１と、携帯機１１よりも通信距離が短い携帯機（以下、説明の便宜上「カードキー１２」という）と、住宅２のドア３内に配設され、携帯機１１及びカードキー１２と相互通信可能な施解錠装置１３とを備えている。ドア３には、ドアハンドル３ａ，３ｂが設けられている。
【００１７】
図４に示すように、携帯機１１は、携帯機側受信回路１４、携帯機側マイクロコンピュータ（携帯機側マイコン）１５、及び携帯機側送信回路１６を備えている。携帯機側受信回路１４には受信アンテナ１７ａが接続され、携帯機側送信回路１６には送信アンテナ１７ｂが接続されている。
【００１８】
携帯機側受信回路１４は、施解錠装置１３から送信されるリクエスト信号（要求信号）を受信アンテナ１７ａを介して受信すると、その信号を携帯機側マイコン１５に出力する。携帯機側マイコン１５は、携帯機側受信回路１４からリクエスト信号が入力された場合、予め設定された所定のＩＤコード（被照合コード）を含むスマート用ＩＤ信号を携帯機側送信回路１６に出力する。携帯機側送信回路１６は、入力されたＩＤ信号を送信アンテナ１７ｂを介して外部に送信する。
【００１９】
カードキー１２は、ＲＦタグ１８を備えている。ＲＦタグ１８は、施解錠装置１３から送信される起動信号により起動し、自らが有するＩＤコード（被照合コード）を含むタグ用ＩＤ信号をアンテナ１８ａを介して送信する。このように、ＲＦタグ１８は電池を必要としない。
【００２０】
図１及び図２に示すように、施解錠装置１３は、屋内アンテナ部１９、屋外アンテナ部２０、２つのドア錠駆動部２１，２２を備えている。
屋内アンテナ部１９は、図３に示すように、屋内側アンテナユニット２３を備えている。屋内側アンテナユニット２３は、施解錠操作手段としての内側アンテナスイッチ（内側アンテナＳＷ）２４を備えている。本実施形態において、内側アンテナＳＷ２４はプッシュスイッチであり、屋内側アンテナユニット２３において屋内側面に設けられている。屋内側アンテナユニット２３は、一面が開口した略直方体形状のカバー２５によって覆われている。カバー２５には、内側アンテナＳＷ２４と対応する位置に内側アンテナＳＷ２４の形状よりも幾分大きめの貫通穴が形成されており、カバー２５をドア３に装着すると、内側アンテナＳＷ２４は貫通穴を通して屋内に露出する。このため、内側アンテナＳＷ２４はカバー２５をドア３に装着させた状態で押圧操作が可能となっている。また、屋内側アンテナユニット２３には、図４に示す屋内側送信アンテナ２３ａと屋内側受信アンテナ２３ｂとが設けられている。
【００２１】
屋外アンテナ部２０は、屋外側アンテナユニット２６を備えている。屋外側アンテナユニット２６は、外側アンテナスイッチ（外側アンテナＳＷ）２７及び図示しないモード切替スイッチを備えている。本実施形態において、外側アンテナＳＷ２７はプッシュスイッチであり、屋外側アンテナユニット２６において屋外側面に設けられている。また、屋外側アンテナユニット２６には、図４に示す屋外側送信アンテナ２６ａと屋外側受信アンテナ２６ｂとが設けられている。
【００２２】
図４に示すように、施解錠装置１３は、通信部としての通信部２８、及び制御手段としてのドア側マイクロコンピュータ（ドア側マイコン）２９を備えている。通信部２８は、ドア側送信回路３０、ドア側受信回路３１、及びタグ用送受信回路３２を備えている。
【００２３】
ドア側送信回路３０には送信アンテナ２３ａ，２６ａが接続され、ドア側受信回路３１には受信アンテナ２３ｂ，２６ｂが接続されている。ドア側送信回路３０は、ドア側マイコン２９から入力されるリクエスト信号を送信アンテナ２３ａ，２６ａを介して送信する。このリクエスト信号は、図２に示すように、屋内外におけるドア３の周辺の所定領域（スマート領域）Ａ１内に送信され、スマート領域Ａ１内において携帯機１１と施解錠装置１３との相互通信が可能となる。
【００２４】
また、ドア側送信回路３０は、各送信アンテナ２３ａ，２６ａから個別のタイミングでリクエスト信号を出力させる。つまり、一方の送信アンテナ２３ａ（２６ａ）からリクエスト信号が出力されているときには、他方の送信アンテナ２６ａ（２３ａ）からはリクエスト信号が出力されないようになっている。
【００２５】
ドア側受信回路３１は、携帯機１１から送信されたスマート用ＩＤ信号を受信アンテナ２３ｂ，２６ｂを介して受信すると、このスマート用ＩＤ信号をドア側マイコン２９に出力する。
【００２６】
タグ用送受信回路３２は、送受信アンテナ３２ａを備えている。タグ用送受信回路３２は、ドア側マイコン２９から入力される起動信号を送受信アンテナ３２ａを介して送信する。この起動信号は、図２に示すように、屋内における屋内アンテナ部１９の周辺の所定領域（タグ領域）Ｂ内に送信される。このタグ領域Ｂは、スマート領域Ａ１に比較して狭い領域となっている。このタグ領域Ｂにおいてカードキー１２と施解錠装置１３との相互通信が可能となる。
【００２７】
ドア錠駆動部２１，２２はドア３内に配設されており、モータ等のアクチュエータとそのアクチュエータを駆動するドライバ部とによって構成されている（図示略）。ドア３の側面３ｃには、各ドア錠駆動部２１，２２の駆動によって出没するロックバー２１ａ，２２ａがそれぞれ形成されている。そして、これらロックバー２１ａ，２２ａの突出状態でドア錠が施錠状態となり、没入状態でドア錠が解錠状態となる。また、ドア３の屋内側面には、ロックバー２１ａ，２２ａを手動で出没可能な手動ロック手段２１ｂ，２２ｂが形成されている。これら手動ロック手段２１ｂ，２２ｂは、一般的な屋内側施解錠用つまみ（サムターン）である。
【００２８】
ドア錠駆動部２１，２２は、ドア側マイコン２９から解錠駆動信号が入力された場合、ロックバー２１ａ，２２ａを没入させてドア錠を解錠状態とする。そして、ドア錠駆動部２１，２２は、ドア側マイコン２９に対して解錠完了信号を出力する。また、ドア錠駆動部２１，２２は、ドア側マイコン２９から施錠駆動信号が入力された場合、ロックバー２１ａ，２２ａを出没させてドア錠を施錠状態とする。そして、ドア錠駆動部２１，２２は、ドア側マイコン２９に対して施錠完了信号を出力する。
【００２９】
ドア側マイコン２９は、具体的には図示しないＣＰＵ（中央演算処理装置）及びメモリを備えている。メモリには、スマート用ＩＤコード（照合コード）とＲＦタグ用ＩＤコード（照合コード）とが予め記録されている。また、ドア側マイコン２９には、内側アンテナＳＷ２４、外側アンテナＳＷ２７が接続されている。
【００３０】
ドア側マイコン２９は、ドア側受信回路３１からスマート用ＩＤ信号が入力された場合、スマート用ＩＤ信号に含まれるＩＤコードとスマート用ＩＤコードとにより照合（スマート照合）を行なう。また、ドア側マイコン２９は、タグ用送受信回路３２からタグ用ＩＤ信号が入力されたときには、タグ用ＩＤ信号に含まれるＩＤコードとタグ用ＩＤコードとにより照合（タグ照合）を行う。
【００３１】
ドア側マイコン２９にはドア錠駆動部２１，２２が接続されており、ドア側マイコン２９は、スマート照合またはタグ照合が一致した場合、ドア錠駆動部２１，２２に対してロックバー２１ａ，２２ａを没入させる旨の解錠駆動信号を出力する。一方、ドア側マイコン２９は、スマート用ＩＤ信号及びタグ用ＩＤ信号が入力されない場合、ドア錠駆動部２１，２２に対してロックバー２１ａ，２２ａを出没させる旨の施錠駆動信号を出力する。また、モード切替スイッチにより手動モードに設定されている場合、ドア側マイコン２９は、スマート照合が成立した状態で内側アンテナＳＷ２４や外側アンテナＳＷ２７が操作されたときに、ドア錠駆動部２１，２２に施錠駆動信号を出力する。
【００３２】
ドア側マイコン２９は、リクエスト信号と起動信号とを所定の時間毎に交互に出力する送信制御を行う。以下、ドア側マイコン２９が行う送信制御について図５に従って詳細に説明する。
【００３３】
まず、ステップ１００に示すように、ドア側マイコン２９はスマート領域Ａ１内にリクエスト信号を出力する。携帯機１１がスマート領域Ａ１内に位置していない場合、携帯機１１はスマート用ＩＤ信号を出力しない。このため、ドア側マイコン２９は、ドア側受信回路３１からスマート用ＩＤ信号が入力されない。
【００３４】
リクエスト信号を出力してから時間Ｔが経過した後、ドア側マイコン２９は、タグ領域Ｂ内に起動信号を出力する（ステップ１０１）。カードキー１２がタグ領域Ｂ内に位置していない場合、カードキー１２はタグ用ＩＤ信号を出力しない。このため、ドア側マイコン２９は、タグ用送受信回路３２からタグ用ＩＤ信号が入力されない。ドア側マイコン２９は、起動信号を出力してから時間Ｔが経過した後にリクエスト信号を出力する。その後、ドア側マイコン２９は、携帯機１１からリクエスト信号に対する応答がない場合、またはカードキー１２から起動信号に対する応答がない場合、時間Ｔが経過する度にリクエスト信号の出力と起動信号の出力とを交互に繰り返す。なお、ステップ１００においてドア側マイコン２９は起動信号を出力してもよい。その場合も、携帯機１１からリクエスト信号に対する応答がない場合、またはカードキー１２から起動信号に対する応答がない場合、時間Ｔが経過する度にリクエスト信号の出力と起動信号の出力とを交互に繰り返す。
【００３５】
ステップ１０２においてドア側マイコン２９がリクエスト信号を出力した際、携帯機１１がスマート領域Ａ１内に位置していた場合（ステップ１０３）、ステップ１０４に示すように、携帯機１１はスマート用ＩＤ信号を出力する。ドア側マイコン２９は、ドア側受信回路３１からスマート用ＩＤ信号が入力されるとスマート照合を行う（ステップ１０５）。そして、ドア側マイコン２９は、スマート照合が一致した場合、解錠駆動信号をドア錠駆動部２１，２２に出力してドア錠を解錠する（ステップ１０６）。
【００３６】
一方、ドア側マイコン２９が起動信号を出力した際（ステップ１０７）、カードキー１２がタグ領域Ｂ内に位置していた場合（ステップ１０８）、ステップ１０９に示すように、カードキー１２はタグ用ＩＤ信号を出力する。ドア側マイコン２９は、タグ用送受信回路３２からタグ用ＩＤ信号が入力されるとタグ照合を行う（ステップ１１０）。そして、ドア側マイコン２９は、タグ照合が一致した場合、解錠駆動信号をドア錠駆動部２１，２２に出力してドア錠を解錠する（ステップ１１１）。
【００３７】
このように、ドア側マイコン２９は、時間Ｔが経過する度にリクエスト信号と起動信号とを交互に出力し、スマート用ＩＤ信号が入力された場合にはスマート照合を行い、タグ用ＩＤ信号が入力された場合にはタグ照合を行うようになっている。
【００３８】
次に、上記構成による施解錠制御システム１の作用について説明する。ここでは、ユーザがドア３の近傍で掃除をしている場合を例にとって説明する。
図２に示すように、スマート領域Ａ１内に設けられた廊下Ｒを掃除する場合、ユーザはカードキー１２を選択して所持する。廊下Ｒはタグ領域Ｂの外であるため、廊下Ｒを掃除しているときに施解錠装置１３とカードキー１２との間で相互通信は行われず、ドア錠は解錠されない。
【００３９】
また、スマート領域Ａ１の境界近傍を通過したとしても、カードキー１２を所持している場合は施解錠装置１３とカードキー１２との間で相互通信は行われないため、ドア錠が施錠と解錠とを頻繁に繰り返すことはない。
【００４０】
従って、本実施形態によれば以下のような効果を得ることができる。
（１）ドア側マイコン２９は、リクエスト信号と起動信号とを交互に出力して、スマート用ＩＤ信号が入力されたときにはスマート照合を行い、タグ用ＩＤ信号が入力されたときにはタグ照合を行う。携帯機１１を選択して所持している場合には、スマート領域Ａ１内に進入するとドア錠が解錠され、カードキー１２を選択して所持している場合には、タグ領域Ｂ内に進入するとドア錠が解錠される。このように、携帯機１１とカードキー１２とのどちらを所持するかによって、ドア錠が解錠されるドア３からの距離を変えることができる。従って、ドア３の近傍においてドア錠が頻繁に施錠と解錠を繰り返す場合等には、携帯機１１に比較して通信距離がより短いカードキー１２を所持することで、頻繁にドア錠が施錠と解除とを繰り返すことを防止できる。更に、カードキー１２を所持することにより、頻繁な通信による携帯機１１の電池の消耗を防止することができる。
【００４１】
（２）ドア側マイコン２９は、リクエスト信号と起動信号とを時間Ｔ毎に順番に出力する。このため、ユーザは、携帯機１１を所持した場合やカードキー１２を所持した場合でも同じフィーリングでドア錠を解錠することができる。つまり、例えば、携帯機１１を所持した場合にはドア錠が早く解錠して、カードキー１２を所持した場合にはドア錠が遅く解錠するといったことがない。従って、ドア錠の解錠に対してユーザが違和感を感じてしまうといった不都合を防止することができる。
【００４２】
（３）ドア側マイコン２９は、リクエスト信号と起動信号とを交互に出力している。このため、携帯機１１とカードキー１２とを別体にすることができる。従って、携帯機１１に比較して安価で小型なカードキー１２を所持することができる。
【００４３】
（４）ドア側マイコン２９は、リクエスト信号と起動信号とを交互に出力して、スマート用ＩＤ信号が入力されたときにはスマート照合を行い、タグ用ＩＤ信号が入力されたときにはタグ照合を行う。このため、ユーザは、スマート照合とタグ照合とを切り替えるために、例えばドア３に配設された操作部を操作する等の煩雑な操作を行う必要がない。従って、施解錠装置の利便性を向上させることができる。
【００４４】
（第２実施形態）
次に、本発明を具体化した第２実施形態を図１、図２、図６〜図８に基づいて説明する。ここでは、第１実施形態と相違する点を主に述べ、共通する点については同一部材番号を付すのみとしてその説明を省略する。なお、施解錠制御システム１は施解錠制御システム４０に、施解錠装置１３は施解錠装置４１に、屋内アンテナ部１９は屋内アンテナ部４２に、通信部２８は通信部４５に、ドア側マイコン２９はドア側マイコン４７にそれぞれ変更され、図１及び図２において読み替えるものとする。
【００４５】
図６に示すように、屋内アンテナ部４２は、屋内側アンテナユニット４３を備えている。屋内側アンテナユニット４３は、内側アンテナＳＷ２４と、操作手段としての設定切替スイッチ（設定切替ＳＷ）４４とを備えている。本実施形態において、設定切替ＳＷ４４は２接点のスライドスイッチである。これらスイッチは、屋内側アンテナユニット４３の屋内側面に設けられ、カバー２５がドア３に装着された状態では外部から視認することができなくなっている。なお、設定切替ＳＷ４４は、屋外側アンテナユニット２６に設けられてもよい。
【００４６】
図７に示すように、通信部４５は、ドア側送信回路４６、ドア側受信回路３１、タグ用送受信回路３２を備えている。
設定切替ＳＷ４４はドア側送信回路４６に接続されている。ドア側送信回路４６は、ドア側マイコン４７から入力されるリクエスト信号を設定切替ＳＷ４４からの操作信号に基づいて、送信アンテナ２３ａ，２６ａを介して図８に示すドア３の近傍におけるスマート領域Ａ１（第１領域）またはスマート領域Ａ２（第２領域）に送信する。詳しくは、ドア側送信回路４６は、設定切替ＳＷ４４のスライドノブ４４ａが近距離側（本実施形態では、図６において左側）に位置している場合、リクエスト信号がスマート領域Ａ１内に送信されるように電波の強度を調整する。これとは反対に、スライドノブ４４ａが至近距離側（本実施形態では、図６において右側）に位置している場合、ドア側送信回路４６は、リクエスト信号がスマート領域Ａ２内に送信されるように電波の強度を調整する。このように、ドア側送信回路４６は、設定切替ＳＷ４４のスライドノブ４４ａの位置によって送信電波の強度を調節できるようになっている。
【００４７】
ドア側マイコン４７は、具体的には図示しないＣＰＵ、メモリを備えている。メモリには、スマート用ＩＤコード（照合コード）とタグ用ＩＤコード（照合コード）とが予め記録されている。また、ドア側マイコン４７には、内側アンテナＳＷ２４、外側アンテナＳＷ２７、及びドア錠駆動部２１，２２が接続されている。
【００４８】
ドア側マイコン４７は、各送信アンテナ２３ａ，２６ａから個別のタイミングで択一的にリクエスト信号をドア側送信回路４６に出力する。つまり、一方の送信アンテナ２３ａ（２６ａ）からリクエスト信号が出力されているときには、他方の送信アンテナ２６ａ（２３ａ）からはリクエスト信号が出力されないようになっている。また、ドア側マイコン４７は、外側アンテナＳＷ２７または内側アンテナＳＷ２４が所定時間にわたって押圧された場合、起動信号をドア側送信回路４６に出力する。
【００４９】
ドア側マイコン４７は、ドア側受信回路３１からスマート用ＩＤ信号が入力されるとスマート照合を行う。また、ドア側マイコン４７は、タグ用送受信回路３２からタグ用ＩＤ信号が入力されるとタグ照合を行う。スマート照合またはタグ照合が一致する場合、ドア側マイコン４７は、ドア錠駆動部２１，２２に解錠駆動信号を出力する。
【００５０】
一方、ドア側マイコン４７は、スマート用ＩＤ信号及びタグ用ＩＤ信号が入力されない場合、ドア錠駆動部２１，２２に施錠駆動信号を出力する。また、モード切替スイッチにより手動モードに設定されている場合、ドア側マイコン４７は、スマート照合が成立した状態で内側アンテナＳＷ２４や外側アンテナＳＷ２７が操作されたときに、ドア錠駆動部２１，２２に施錠駆動信号を出力する。
【００５１】
次に、上記構成による施解錠制御システム４０の作用について説明する。ここでは、ユーザがドア３の近傍で掃除をしている場合を例にとって説明する。
図８に示すように、スマート領域Ａ１内にあり、且つスマート領域Ａ２外にある廊下Ｒを掃除する場合、ユーザは設定切替ＳＷ４４のスライドノブ４４ａを左側にスライドさせて、携帯機１１と施解錠装置４１との相互通信が行われる領域をスマート領域Ａ２に切り替える。この操作により、携帯機１１と施解錠装置４１との相互通信が可能な領域はスマート領域Ａ２内に限られるため、廊下Ｒを掃除していてもドア錠は解錠されない。
【００５２】
また、携帯機１１を所持してスマート領域Ａ１の境界近傍を通過したとしても、施解錠装置４１と携帯機１１との間で相互通信は行われないため、ドア錠が施錠と解錠とを頻繁に繰り返すことはない。
【００５３】
従って、本実施形態によれば以下のような効果を得ることができる。
（５）ドア側送信回路４６は、設定切替ＳＷ４４のスライドノブ４４ａが至近距離側に位置している場合、ドア側マイコン４７から入力されたリクエスト信号をスマート領域Ａ１よりも狭い領域のスマート領域Ａ２内に出力する。ユーザは設定切替ＳＷ４４のスライドノブ４４ａを操作することによって、携帯機１１と施解錠装置４１との間で相互通信が確立する領域を変更することできる。このため、スライドノブ４４ａを至近距離側にすることにより、例えば、スマート領域Ａ１内及びスマート領域Ａ２外にある廊下Ｒを掃除する場合にドア錠を解錠させないようにすることができる。また、スマート領域Ａ１の境界付近を通過した場合においても、スライドノブ４４ａを至近距離側にすることにより、ドア錠が頻繁に施錠と解錠とを繰り返すのを防止できる。従って、頻繁にドア錠が施錠と解除とを繰り返すことを防止できる。
【００５４】
（６）ドア側送信回路４６は、設定切替ＳＷ４４からの操作信号に基づいて、リクエスト信号を送信する領域をスマート領域Ａ１とスマート領域Ａ２との２つの領域に切り替える。このように、設定切替ＳＷ４４によって切り替えられる領域が２つしかないため、リクエスト信号が送信される領域を施解錠装置４１の利用態様に合わせて細かく調整する必要がない。従って、簡単な操作によりリクエスト信号が送信される領域を切り替えることができ、施解錠装置の利便性を向上させることができる。
【００５５】
（第３実施形態）
次に、本発明を具体化した第３実施形態を図１、図２、図６及び図９に基づいて説明する。ここでは、前記各実施形態と相違する点を主に述べ、共通する点については同一部材番号を付すのみとしてその説明を省略する。図１及び図２において、施解錠制御システム１は施解錠制御システム５０に、施解錠装置１３は施解錠装置５１に、屋内アンテナ部１９は屋内アンテナ部４２に、ドア側マイコン２９はドア側マイコン４７に読み替えるものとする。なお、屋内アンテナ部４２については、前記第２実施形態において説明したのでここでの説明は省略する。
【００５６】
本実施形態のイおいて、内側アンテナＳＷ２４（図６参照）は保持形スイッチであるオルタネートスイッチであって、操作により開閉状態が変化し、次の操作が行われるまでその状態を保持するようになっている。
【００５７】
ドア側マイコン５２は、設定切替ＳＷ４４のスライドノブ４４ａが通常モード側（本実施形態では、図６において左側）に位置している場合、通常モードに切り替わる。この通常モードにおいて、ドア側マイコン５２は、ドア側受信回路３１からスマート用ＩＤ信号が入力されるとスマート照合を行い、タグ用送受信回路３２からタグ用ＩＤ信号が入力されるとタグ照合を行う。スマート照合またはタグ照合が一致する場合、ドア側マイコン５２は、ドア錠駆動部２１，２２に解錠駆動信号を出力する。また、通常モードにおいて、ドア側マイコン５２は、スマート用ＩＤ信号及びタグ用ＩＤ信号が入力されない場合、ドア側マイコン５２は、ドア錠駆動部２１，２２に施錠駆動信号を出力してドア錠を施錠する。
【００５８】
一方、ドア側マイコン５２は、スライドノブ４４ａがスイッチ施解錠モード側（本実施形態では、図６において右側）に位置している場合、スイッチ施解錠モードに切り替わる。このスイッチ施解錠モードにおいてドア側マイコン５２は、内側アンテナＳＷ２４が操作された場合、この内側アンテナＳＷ２４がオン状態かオフ状態かによってドア錠の施解錠を選択する。詳しくは、ドア側マイコン５２は、内側アンテナＳＷ２４が操作されてオン状態に保持された場合、ドア錠駆動部２１，２２に施錠駆動信号を出力してドア錠を施錠する。本実施形態においては、ドア側マイコン５２は、内側アンテナＳＷ２４がオン状態のときフラグに「１」をセットし、内側アンテナＳＷ２４がオフ状態のときにはフラグに「０」をセットすることで内側アンテナＳＷ２４がオン状態であるかオフ状態であるかを判断している。一方、内側アンテナＳＷ２４が操作されてオフ状態に保持された場合、ドア側マイコン５２は、スマート照合またはタグ照合が一致していることを条件に、ドア錠駆動部２１，２２に解錠駆動信号を出力してドア錠を解錠する。
【００５９】
次に、上記構成による施解錠制御システム５０の作用について図２に従って説明する。ここでは、ユーザがドア３の近傍で掃除をしている場合を例にとって説明する。
図２に示すように、スマート領域Ａ１内にある廊下Ｒを掃除する場合、さらにこの場所がドア３側に近接している場合、ユーザは設定切替ＳＷ４４のスライドノブ４４ａをスイッチ施解錠モード側に位置させる。このようにすると、内側アンテナＳＷ２４を操作しないとドア錠が解錠されないため、携帯機１１を所持して廊下Ｒを掃除していてもドア錠は解錠されない。
【００６０】
また、携帯機１１を所持してスマート領域Ａ１の境界近傍を通過した場合、施解錠装置５１と携帯機１１との間で相互通信は行われても内側アンテナＳＷ２４が操作されないためドア錠は解錠されない。従って、携帯機１１を所持してスマート領域Ａ１の境界近傍を通過したとしても、ドア錠が施錠と解錠とを頻繁に繰り返すことはない。
【００６１】
従って、本実施形態によれば、以下のような効果を得ることができる。
（７）ドア側マイコン５２は、設定切替ＳＷ４４のスライドノブ４４ａがスイッチ施解錠モード側に位置している場合、携帯機１１がスマート領域Ａ１内に進入してもドア錠を解錠させない。そして、その後、内側アンテナＳＷ２４が押圧操作されてオフ状態に保持された場合に、ドア側マイコン５２はドア錠駆動部２１，２２に解錠駆動信号を出力してドア錠を解錠する。つまり、ドア近傍まで接近して内側アンテナＳＷ２４を操作しないとドア錠は解錠されない。このため、例えば、スマート領域Ａ１内において廊下Ｒを掃除する場合、スライドノブ４４ａをスイッチ施解錠モード側に位置させることによりドア錠の解錠を防止できる。また、スマート領域Ａ１の境界付近を通過した場合においても、設定切替ＳＷ４４のスライドノブ４４ａをスイッチ施解錠モード側に位置させることにより、ドア錠が頻繁に施錠と解錠とを繰り返すことを防止できる。
【００６２】
なお、本発明の実施形態は以下のように変更してもよい。
・第１実施形態において、ドア側マイコン２９は、リクエスト信号と起動信号とを交互に出力していた。しかし、ドア側マイコン２９が出力する信号はリクエスト信号と起動信号とに限られず、複数の信号を所定の時間Ｔ毎に出力するようにしてもよい。例えば、ドア側マイコン２９は、リクエスト信号、起動信号、車両用リクエスト信号を時間Ｔ毎に出力してもよい。なお、ここでいう車両用リクエスト信号とは、ユーザが所有する車両の携帯機に対してＩＤコードの送信を要求する旨の信号をいう。この場合、ドア側マイコン２９のメモリには車両用ＩＤコードが予め記録され、ドア側マイコン２９は、車両の携帯機から送信された信号に含まれるＩＤコードと自らが有する車両用ＩＤコードとで照合を行う。そして、この照合が一致した場合、ドア側マイコン２９はドア錠を解錠する。このようにすれば、携帯機１１を所持していなくても車両用の携帯機を用いて住宅２のドア錠を解錠することができる。また、ユーザはドア錠を解錠するための操作を何ら行う必要がない。従って、施解錠装置の利便性が向上する。
【００６３】
・前記他の実施形態に示すように、ドア側マイコン２９が複数の信号を所定の時間Ｔ毎に出力するようにした場合、例えば、リクエスト信号、起動信号、車両用リクエスト信号を時間Ｔ毎に出力した場合において、ドア側マイコン２９は、リクエスト信号と車両用リクエスト信号とを１つの複合リクエスト信号（複合信号）として出力してもよい。この場合、複合リクエスト信号を受信した携帯機は、複合リクエスト信号中に自分宛てのリクエスト信号が含まれていた場合、例えば携帯機１１がリクエスト信号を受信した場合はスマートＩＤ用ＩＤ信号を送信するように変更される。このようにすれば、時間Ｔ毎に送信するリクエスト信号の数を減らすことができるため、携帯機が施解錠装置１３と相互通信可能な領域に侵入した際に、携帯機と施解錠装置１３との間で早期に照合を行うことができる。
【００６４】
・第１実施形態においてドア側送信回路３０は、屋内側送信アンテナ２３ａと屋外側送信アンテナ２６ａとから個別のタイミングでリクエスト信号を送信していた。しかし、ドア側送信回路３０は、屋内側送信アンテナ２３ａと屋外側送信アンテナ２６ａとから同時にリクエスト信号を送信するように変更されてもよい。
【００６５】
・第１実施形態において、ドア側マイコン２９は、リクエスト信号と起動信号とを交互に出力していた。しかし、ドア側マイコン２９は、リクエスト信号と起動信号とを交互に出力しなくてもよい。例えば、カードキー１２によってドア３が施解錠された場合、その後にドア側マイコン２９は、リクエスト信号に優先して起動信号を出力するように変更されてもよい。つまり、ドア側マイコン２９は、リクエスト信号を出力する回数よりも起動信号を出力する回数を増加させてもよい。例えば、ドア側マイコン２９は、起動信号を５回出力したらリクエスト信号を１回出力するように変更されてもよい。こうすれば、ユーザが次回にカードキー１２を使用した場合、ドア３が解錠するまでの時間を短くすることができる。また、これとは反対に、携帯機１１によってドア３が施解錠された場合、その後にドア側マイコン２９は、起動信号に優先してリクエスト信号を出力するように変更されてもよい。このように、リクエスト信号と起動信号とが送信される割合を変更することにより、その後にユーザが使用する可能性が高いと推定される通信を優先して行うことができ、施解錠制御システム１の利便性を向上させることができる。
【００６６】
・第２実施形態において、ドア側マイコン４７は、設定切替ＳＷ４４のスライドノブ４４ａが至近距離側に位置している場合にはスマート領域Ａ２内にリクエスト信号を送信し、スライドノブ４４ａが近距離側に位置している場合にはスマート領域Ａ１内にリクエスト信号を送信していた。しかし、設定切替ＳＷ４４を複数の接点を有するスライドスイッチにより構成され、ドア側送信回路４６は、スライドノブ４４ａの各位置に応じて送信電波の強度を調節できるようにしてもよい。例えば、設定切替ＳＷ４４は３接点のスライドスイッチにより構成され、ドア側送信回路４６は、スライドノブ４４ａが一方の端に位置している場合にスマート領域Ａ１にリクエスト信号が送信されるように電波の強度を調整し、他端に位置している場合にスマート領域Ａ２内にリクエスト信号が送信されるように送信電波の強度を調整してもよい。そして、ドア側送信回路４６は、スライドノブ４４ａが真中に位置している場合にはスマート領域Ａ１より狭い領域、且つスマート領域Ａ２より広い領域となる領域内にリクエスト信号が送信されるように送信電波の強度を調整してもよい。このようにすれば、住宅２のドア周辺における環境（例えば、靴を履く場所の位置）に合わせてスマート領域を多段階に変更することができる。よって、施解錠装置の利便性を向上させることができる。
【００６７】
・第２実施形態及び第３実施形態において、設定切替ＳＷ４４はスライドスイッチに限定されない。例えば、設定切替ＳＷ４４は、オルタネートスイッチやモーメンタリスイッチでもよい。
【００６８】
次に、本実施形態及び他の実施形態から把握できる技術的思想について以下に追記する。
（１）請求項１に記載の発明において、前記制御手段は、それぞれの前記携帯機に対応する前記要求信号が複合された複合信号を出力し、前記通信部が受信した前記被照合コードと、該被照合コードに対応する前記照合コードとにより照合を行うことを特徴とする請求項１に記載の建物用ドア錠の施解錠装置。
【図面の簡単な説明】
【００６９】
【図１】第１実施形態における施解錠制御システムの斜視図。
【図２】同じく、施解錠装置の側面図。
【図３】同じく、施解錠装置の屋内アンテナ部の拡大斜視図。
【図４】同じく、施解錠制御システムの電気ブロック図。
【図５】同じく、施解錠制御システムのシーケンス図。
【図６】第２実施形態における施解錠装置の屋内アンテナ部の拡大斜視図。
【図７】同じく、施解錠制御システムの電気ブロック図。
【図８】同じく、施解錠装置の側面図。
【図９】第３実施形態における施解錠制御システムの電気ブロック図。
【符号の説明】
【００７０】
２…住宅、３…ドア、１１…携帯機、１２…携帯機としてのカードキー、１３，４１，５１…施解錠装置、２４…施解錠操作手段としての内側アンテナスイッチ（内側アンテナＳＷ）、２８，４５…通信部、２９…制御手段としてのドア側マイクロコンピュータ（ドア側マイコン）、４４…操作手段としての設定切替スイッチ（設定切替ＳＷ）、Ａ１…第１領域としてのスマート領域、Ａ２…第２領域としてのスマート領域。
【図１】
2005068822.tif 000003
【図２】
2005068822.tif 000004
【図３】
2005068822.tif 000005
【図４】
2005068822.tif 000006
【図５】
2005068822.tif 000007
【図６】
2005068822.tif 000008
【図７】
2005068822.tif 000009
【図８】
2005068822.tif 000010
【図９】
2005068822.tif 000011